(57)【特許請求の範囲】
【請求項１】
表示領域及び前記表示領域の外側にある非表示領域を備える基板と、
画素電極及び共通電圧電極を具備する画素であって、前記表示領域に配置される複数の第１画素及び前記非表示領域に配置される複数の第２画素と、
前記複数の第１画素の共通電圧電極が電気的に接続して具備されるタッチ電極、及び前記複数の第２画素の共通電圧電極が電気的に接続して具備されており、且つ前記表示領域を取り囲む遮蔽電極と、
を含む、タッチ一体型表示パネル。
【請求項２】
前記共通電圧電極と異なるレイヤーに位置し、タッチ駆動回路と前記タッチ電極を電気的に接続する第１駆動配線、及び前記タッチ駆動回路と前記遮蔽電極を電気的に接続する第２駆動配線をさらに含む、請求項１記載のタッチ一体型表示パネル。
【請求項３】
前記複数の第２画素の外側で前記第２駆動配線と同じレイヤーに位置し、前記タッチ駆動回路と電気的に接続する第３駆動配線をさらに含む、請求項２記載のタッチ一体型表示パネル。
【請求項４】
前記第１駆動配線、前記第２駆動配線、及び前記第３駆動配線には位相の同期化した信号を供給する、請求項３記載のタッチ一体型表示パネル。
【請求項５】
前記第１駆動配線、前記第２駆動配線、及び前記第３駆動配線には同じタッチ駆動信号を供給する、請求項４記載のタッチ一体型表示パネル。
【請求項６】
前記タッチ駆動回路は、前記第１駆動配線に対してのみ前記タッチ駆動信号に対する反応信号を受信して処理する、請求項５記載のタッチ一体型表示パネル。
【請求項７】
隣接して配置されるものの、互いに離隔した２つの第２画素は、前記第２駆動配線によって互いに電気的に接続する、請求項２記載のタッチ一体型表示パネル。
【請求項８】
表示領域に配置される複数の第１画素及び非表示領域に配置される複数の第２画素と、
前記複数の第１画素の共通電圧電極が電気的に接続して具備されるタッチ電極及び前記複数の第２画素の共通電圧電極が電気的に接続して具備され、且つ前記表示領域を取り囲む遮蔽電極を含む表示パネル、及び
前記タッチ電極及び前記遮蔽電極にタッチ駆動信号を供給するタッチ駆動回路と、
を含むタッチ一体型表示装置。
【請求項９】
前記タッチ駆動回路は、位相の同期化したタッチ駆動信号を前記タッチ電極及び前記遮蔽電極に供給する、請求項８記載のタッチ一体型表示装置。
【請求項１０】
前記タッチ駆動回路は、前記タッチ電極及び前記遮蔽電極のうち、前記タッチ電極に対してのみ反応信号を受信して処理する、請求項８記載のタッチ一体型表示装置。
【発明の詳細な説明】
【技術分野】
【０００１】
本発明は、タッチ電極が内部に位置するタッチ一体型表示パネル及びタッチ一体型表示装置に関するものである。
【背景技術】
【０００２】
情報化社会の発展につれて、画像を表示するための表示装置に対するニーズが多様な形で増加しており、近年には、液晶表示装置（Ｌｉｑｕｉｄ  Ｃｒｙｓｔａｌ  Ｄｉｓｐｌａｙ、ＬＣＤ）、プラズマ表示装置（Ｐｌａｓｍａ  Ｄｉｓｐｌａｙ  Ｐａｎｅｌ、ＰＤＰ）、有機電界発光表示装置（Ｏｒｇａｎｉｃ  Ｌｉｇｈｔ  Ｅｍｉｔｔｉｎｇ  Ｄｉｏｄｅ  Ｄｉｓｐｌａｙ  Ｄｅｖｉｃｅ、ＯＬＥＤ）のような様々な表示装置が活用されている。
【０００３】
前記表示装置の中で、液晶表示装置（ＬＣＤ）は、トランジスタを含むアレイ基板、カラーフィルター及び／またはブラックマトリックスなどを具備した上部基板と、その間に形成される液晶層を具備し、画素領域の陽電極の間に印加される電界に応じて液晶層の配列状態が整えられ、それにより、光の透過度が変調され画素の表示が行われる装置である。
【０００４】
前記液晶表示装置の表示パネルは、ユーザにイメージを提供する表示領域（ａｃｔｉｖｅ ａｒｅａ、ＡＡ）及び表示領域（ＡＡ）の周辺領域である非表示領域（ｎｏｎ−ａｃｔｉｖｅ  ａｒｅａ、  ＮＡ）で定義される。表示パネルは、通常トランジスタなどが形成されて画素領域が定義されるアレイ基板である第１基板と、ブラックメトリックス及び／またはカラーフィルター層などが形成された上部基板としての第２基板を貼り合わせて作製する。
【０００５】
トランジスタが形成されるアレイ基板或いは第１基板は、第１方向に延長される複数のゲートライン（ＧＬ）と、第１方向と垂直である第２方向に延長される複数のデータライン（ＤＬ）を含み、各々のゲートラインとデータラインによって一つの画素領域（Ｐｉｘｅｌ、Ｐ）が定義される。一つの画素領域（Ｐ）内には１以上のトランジスタが形成され、各トランジスタのゲート電極及びソース電極は各々のゲートライン及びデータラインと連結される。
【０００６】
尚、各ゲートライン及びデータラインに各画素の駆動に必要なスキャン信号、及びデータ電圧を提供するための非表示領域、またはパネルの外部に備えられるゲート駆動部 及びデータ駆動部などが含まれる。
【０００７】
一方、最近の表示パネルは、スタイラスペンやユーザの指などのタッチ入力を検知する機能を有するものが一般的であり、別途のタッチスクリーンを作製して表示パネル上に設けるタイプと、表示パネルの作製時にタッチ認識に必要なタッチ電極などを表示パネルの内部に含ませるタッチ一体型表示パネルなどが開発されている。
【０００８】
この中で、タッチ一体型表示パネルは、普段、表示パネルの画素に共通電圧を提供する共通電圧電極（Ｖｃｏｍ）を特定の形態に加工してタッチ電極として用いることができる。
【０００９】
タッチ電極は、画素より精密に分布する必要がないため、通常一つのタッチ電極は複数の画素領域にわたって配置される。共通電圧電極にタッチ電極を具備する場合、各画素領域に対応する複数個の共通電圧電極が集まって一つのタッチ電極を構成する。
【００１０】
一方、タッチ電極に対する外部オブジェクトのタッチは、タッチ電極に形成される静電容量の変化に応じて検知することができる。一般的に外部オブジェクトがタッチ電極をタッチするようになるとタッチ電極及び外部オブジェクトの間に静電容量が増加するようになり、表示装置は前記静電容量の増加をセンシングして外部オブジェクトのタッチ可否を判断することができる。タッチ電極に形成される静電容量の変化に応じてタッチを検知する方法は静電式タッチ検知方法とも呼ばれている。
【００１１】
静電式タッチ検知方法を用いる表示装置は、タッチ電極にタッチ駆動信号を入力し、これに対する反応信号を受信してタッチを検知する。
【００１２】
しかし、この際、タッチ電極にノイズが流れ込まれると反応信号に歪曲が生じ、歪曲した反応信号を受信した表示装置がタッチを誤認識する恐れがある。
【発明の概要】
【発明が解決しようとする課題】
【００１３】
このような背景から、本発明の目的は、タッチ一体型表示装置がタッチを誤認識する問題を改善することである。本発明の他の目的は、タッチ電極に流れ込まれるノイズを減衰させたり、ノイズを遮断したりする技術を提供することである。
【課題を解決するための手段】
【００１４】
前述した目的を達成すべく、本発明は、基板、画素、タッチ電極、及び遮蔽電極を含むタッチ一体型表示パネルを提供する。前記表示パネルにおいて、基板は表示領域と表示領域の外側にある非表示領域を備える。尚、表示パネルの表示領域には複数の第１画素が配置され、非表示領域には複数の第２画素が配置される。前記複数の第１画素の共通電圧電極は互いに電気的に接続してタッチ電極を具備する。そして、複数の第２画素の共通電圧電極は互いに電気的に接続して遮蔽電極を具備する。また、遮蔽電極は表示領域を取り囲むように配置される。
【００１５】
他の発明は、表示パネル、及びタッチ駆動回路を含むタッチ一体型表示装置を提供する。前記表示装置において、表示パネルは表示領域に配置される複数の第１画素及び非表示領域に配置される複数の第２画素、複数の第１画素の共通電圧電極が電気的に接続して具備されるタッチ電極及び複数の第２画素の共通電圧電極が電気的に接続して具備され、且つ表示領域を取り囲む遮蔽電極とを含む。さらに、タッチ駆動回路はタッチ電極及び遮蔽電極にタッチ駆動信号を供給する。
【発明の効果】
【００１６】
前述したように、本発明によれば、タッチ一体型表示装置がタッチを誤認識する問題を改善することができる。さらに、本発明によれば、タッチ電極に流れ込まれるノイズを減衰させたり遮断したりすることができる。
【図面の簡単な説明】
【００１７】
【図１】本発明の実施例１による表示装置の概略的な構成図である。
【図２】図１のＩ―Ｉ’に対する断面図である。
【図３】一部が互いに離隔する遮蔽電極を示す図である。
【図４】外部からタッチ電極にノイズが流れ込まれることを示す図である。
【図５】遮蔽電極を介して外部のノイズを遮断することを示す図である。
【図６】図５に示すように駆動回路が供給する信号の波形図である。
【図７】遮蔽電極及び遮蔽金属層を介して外部のノイズを遮断することを示す図である。
【図８】図７において、駆動回路が供給する信号の波形図である。
【発明を実施するための形態】
【００１８】
以下、本発明の一部実施例を例示的な図面を参照して詳細に説明する。各図の構成要素に参照符号を付すにあたって、同一の構成要素については他の図面上に表示されても、同一符号を有するようにする。また、本発明を説明するにあたって、関連する公知の構成又は機能に対する具体的な説明が本発明の要旨を不明瞭にする恐れがあると判断される場合には、その詳細な説明は省略する。
【００１９】
また、本発明の構成要素を説明するにあたって、第１、第２、Ａ、Ｂ、（ａ）、（ｂ）などの用語が使用できる。このような用語は、その構成要素を他の構成要素と区別するためのものだけであって、その用語によって当該構成要素の本質、手順または順序などが限定されない。ある構成要素が他の構成要素に連結、結合または接続されると記載された場合、その構成要素はその他の構成要素に直接連結されたり、若しくは接続できるが、各構成要素の間に他の構成要素が介在されたり、各構成要素が他の構成要素を介して連結、結合または接続できることも理解すべきである。
【００２０】
図１は、第１実施例による表示装置の概略的な構成図である。
【００２１】
図１を参照すると、表示装置１００は、表示パネル１１０及び駆動回路１２０などを含むことができる。
【００２２】
表示パネル１１０は、アレイ基板としての第１基板と、ブラックマトリックス及び／またはカラーフィルター層などが備えられた上部基板としての第２基板を貼り合わせて作製することができる。
【００２３】
表示パネル１１０には、複数のゲートラインと複数のデータラインが配置され、ゲートラインとデータラインの交差によって画素領域が定義される。
【００２４】
画素領域には、ゲートラインとデータラインが交差する箇所で薄膜トランジスタ（Ｔｈｉｎ Ｆｉｌｍ Ｔｒａｎｓｉｓｔｏｒ、ＴＦＴ）が設けられ、薄膜トランジスタを介してデータ電圧の供給を受ける画素電極、さらに画素電極との電位差によって液晶材料に電界を形成する共通電圧電極が配置される。
【００２５】
共通電圧電極は、ディスプレイモードで駆動したり、タッチ駆動モードで駆動したりする。
【００２６】
ディスプレイモードにおいて、共通電圧電極には共通電圧（Ｖｃｏｍ）が供給される。前記共通電圧は画素電極に形成されるデータ電圧と電位差を有しながら、液晶層に電界を提供するようになる。
【００２７】
タッチ駆動モードにおいて、共通電圧電極はタッチ電極として用いられる。タッチ駆動モードの場合、共通電圧電極にはタッチ駆動信号を供給し、表示装置１００は前記タッチ駆動信号に対する反応信号を利用してタッチを検知することができる。
【００２８】
表示装置１００を接触する外部オブジェクトの接触面積は画素の面積より大きいため、一般的に複数の画素領域に配置される共通電圧電極が電気的に接続して一つのタッチ電極１３０を具備することができる。
【００２９】
図１に示すように、表示パネル１１０は中央の表示領域（Ａ/Ａ）とその外側の非表示領域（Ｎ/Ａ）に分かれており、表示領域（Ａ/Ａ）には複数のタッチ電極１３０が配置される。
【００３０】
前記複数のタッチ電極１３０の各々は、第１駆動配線１６１を介して表示パネルの一側（図１の下部）にある駆動回路１２０に連結される。
【００３１】
駆動回路１２０は、複数のタッチ電極１３０の各々にタッチ駆動信号を供給し、タッチ駆動信号に対する反応信号を受信して各タッチ電極１３０に対するタッチを検知することができる。
【００３２】
また、駆動回路１２０は各画素にデータ電圧を供給することができる。タッチ電極１３０が位置する領域には複数の画素が配置されており、駆動回路１２０は各画素にデータ電圧を供給することができる。
【００３３】
タッチを検知するという側面から駆動回路１２０はタッチ駆動回路と言える。さらに画素にデータ電圧を供給するという側面から駆動回路１２０はデータ駆動回路とも言える。
【００３４】
図１に示すように、タッチ駆動回路及びデータ駆動回路を一つの集積回路の形に実現しても良いし、実施例によってはタッチ駆動回路及びデータ駆動回路１２０を別途の集積回路に実現しても良い。
【００３５】
駆動回路１２０は、Ｄ−ＩＣ（Ｉｎｔｅｇｒａｔｅｄ  Ｃｉｒｃｕｉｔ）またはＴ−ＩＣでＦＰＣＢ（Ｆｌｅｘｉｂｌｅ  ＰＣＢ）形態であるＣＯＦ（Ｃｈｏｐ―ｏｎ―Ｆｉｌｍ）内に実装され、ボンディング部によって表示パネル１１０に連結できるようになる。
【００３６】
表示領域の外側には非表示領域が位置することができる。非表示領域は再びダミー画素１４２が位置する第１非表示領域（第１Ｎ/Ａ）及びダミー画素１４２が位置し位置しない第２表示領域（第２Ｎ/Ａ）に分けられる。
【００３７】
表示領域に位置し位置しながらユーザに映像を提供する画素と、非表示領域に位置し位置しながらユーザに視認しない画素を区分するために、下記では表示領域に位置する画素を第１画素１４１、非表示領域に位置する画素を第２画素１４２と称する。
【００３８】
第１画素１４１及び第２画素１４２には両方とも画素電極と共通電圧電極が含まれる。
【００３９】
複数の第１画素１４１に含まれる共通電圧電極は互いに電気的に接続して一つのタッチ電極１３０を具備することができる。
【００４０】
さらに、複数の第２画素１４２に含まれる共通電圧電極は互いに電気的に接続して遮蔽電極１５０を具備することができる。遮蔽電極１５０は第２駆動配線１６２を介して駆動回路１２０に連結される。
【００４１】
複数の第２画素１４２の外側に位置する第２非表示領域（第２Ｎ/Ａ）には駆動回路１２０と電気的に接続する第３駆動配線１６３が位置することができる。
【００４２】
図２は、図１のＩ―Ｉ’に対する端面図である。
【００４３】
図２を参照すると、表示領域に位置する第１画素１４１及び第１非表示領域に位置する第２画素１４２には薄膜トランジスタが基板上に配置される。さらに、第２非表示領域には基板上にＬＯＧ（Ｌｉｎｅ―Ｏｎ―Ｇｌａｓｓ）配線が配置される。
【００４４】
薄膜トランジスタは、ゲート電極（Ｇａｔｅ  Ｅｌｅｃｔｒｏｄｅ、ＧＥ）、活性層（Ａｃｔｉｖｅ  Ｌａｙｅｒ、ＡＬ)、ソース電極（Ｓｏｕｒｃｅ  Ｅｌｅｃｔｒｏｄｅ、ＳＥ）、及びドレイン電極（Ｄｒａｉｎ  Ｅｌｅｃｔｒｏｄｅ、ＤＥ）などを含むことができる。
【００４５】
ゲート電極（ＧＥ）はゲートラインが延長されて形成される。
【００４６】
活性層（ＡＬ）はトランジスタの活性領域を構成する。活性層（ＡＬ）は非晶質シリコン（ａ―Ｓｉ）か、酸化亜鉛（ＺｎＯ）系列の酸化物、例えば、ＩＧＺＯ（Ｉｎｄｉｕｍ  Ｇａｌｌｉｕｍ  Ｚｉｎｃ  Ｏｘｉｄｅ）、ＺＴＯ（Ｚｉｎｃ  Ｔｉｎ  Ｏｘｉｄｅ)、 ＺＩＯ（Ｚｉｎｃ  Ｉｎｄｉｕｍ  Ｏｘｉｄｅ）のような酸化物半導体で形成しても良いが、これに限定されるわけではない。
【００４７】
ソース電極（ＳＥ）はデータラインが延長されて形成され、ドレイン電極（ＤＥ）は画素電極（Ｐｉｘｅｌ Ｅｌｅｃｔｒｏ、ＰＥ）と連結される。
【００４８】
積層の位置上からみると、基板上にゲート電極（ＧＥ）及びＬＯＧ配線（ＬＯＧ）が形成され、ゲート電極（ＧＥ）及びＬＯＧ配線（ＬＯＧ）上にゲート絶縁層（Ｇａｔｅ  Ｉｎｓｕｌａｔｏｒ、ＧＩ）が形成される。そして、ゲート絶縁層（ＧＩ）の上部にソース電極（ＳＥ）、活性層（ＡＬ）、ドレイン電極（ＤＥ）、及び画素電極（ＰＥ）が形成される。
【００４９】
薄膜トランジスタ及び画素電極（ＰＥ）を具備したゲート絶縁層（ＧＩ）の上部に層間絶縁層、且つ保護層として機能する有機保護層（ＰＡＣ）を備える。
【００５０】
有機保護層（ＰＡＣ）はフォトアクリル（Ｐｈｏｔｏ―Ａｃｒｙｌ）、アクリル酸塩（Ａｃｒｙｌａｔｅ）、ポリアミド（Ｐｉｌｙａｍｉｄｅ）、 ベンゾシクロブテン（ＢＣＢ）などのような材料で形成されても良いが、これに限定されるわけではない。
【００５１】
有機保護層の上部にはデータラインと重畳されるが、データラインとは異なった材料及びレイヤーで形成される駆動配線１６１、１６２、１６３が設けられる。詳しくは、第１駆動配線１６１ 第２駆動配線１６２、及び第３駆動配線１６３は有機保護層（ＰＡＣ）上の同じレイヤーで同一な材料で形成されても良い。
【００５２】
ここで、駆動配線１６１、１６２、１６３はアルミニウム（Ａｌ）、アルミニウムネオジム（ＡｌＮｄ）、銅（Ｃｕ）、モリブデン（Ｍｏ）、モリブデンチタン（ＭｏＴｉ）、クロム（Ｃｒ）などの低抵抗金属または合金で形成されても良いが、これに限定されるわけではない。
【００５３】
駆動配線１６１、１６２、１６３が形成された上部に層間絶縁層や、追加保護層として機能する無機保護層（ＰＡＳ）が形成される。
【００５４】
該無機保護層（ＰＡＳ）は窒化シリコン（ＳｉＮｘ）または酸化シリコン（ＳｉＯ２）などのような無機絶縁材で形成されても良いが、これに限定されるわけではない。
【００５５】
第１画素１４１において無機保護層（ＰＡＳ）の上部にはタッチ電極１３０が位置することができる。さらに、タッチ電極１３０はコンタクトホールを介して異なったレイヤーに位置する第１駆動配線１６１と電気的に接続しても良い。
【００５６】
第２画素１４２において、無機保護層（ＰＡＳ）の上部には遮蔽電極１５０が位置することができる。さらに、遮蔽電極１５０はコンタクトホールを介して異なったレイヤーに位置する第２駆動配線１６２と電気的に接続しても良い。
【００５７】
前述した説明において、ゲートラインまたはゲート電極のゲート金属層、若しくはソース／ドレイン金属層は、低抵抗の特性を有する金属材であって、アルミニウム（Ａｌ）、アルミニウム合金（ＡｌＮｄ）、銅（Ｃｕ）、銅合金、モリブデン（Ｍｏ）及びモリブデン合金（ＭｏＴｉ）のいずれか１つまたは２つ以上の物質であってもよい。
【００５８】
さらに、前述した説明において、タッチ電極１３０及び遮蔽電極１５０は透明電極であっても良いし、仕事関数の値が比較的高い透明導電性物質、例えば酸化インジウムスズ（ＩＴＯ）または酸化インジウム亜鉛（ＩＺＯ）のような金属酸化物、ＺｎＯ：ＡｌまたはＳｎＯ２：Ｓｂのような金属と酸化物の組み合わせであってもよい。
【００５９】
尚、前述した説明において、ゲート絶縁層（ＧＩ）、無機保護層（ＰＡＳ）は酸化シリコン（ＳｉＯ２）または窒化シリコン（ＳｉＮｘ）などのような無機絶縁物質からなることができるが、これに限定されるわけではなく、電気的に絶縁されたその他の異なる材料で形成されても良い。
【００６０】
第１画素１４１及び第２画素１４２は同じ工程によって具備することができる。例えば、第１画素１４１に位置するトランジスタと第２画素１４２に位置するトランジスタは同じマスク工程によって具備することができる。尚、第１画素１４１と第２画素１４２に位置するタッチ電極１３０と遮蔽電極１５０も同じマスク工程によって備えることができる。
【００６１】
一方、タッチ電極１３０は他のタッチ電極と電気的に分離するために境界箇所で互いに離隔するが、この際、同じマスク工程によって具備される遮蔽電極１５０も一部が互いに離隔しても良い。
【００６２】
図３は、一部が互いに離隔する遮蔽電極を示す図である。
【００６３】
図３を参照すると、遮蔽電極１５０は互いに離隔する複数の箇所を組み合わせすることにより、具備することができる。
【００６４】
タッチ電極１３０は他のタッチ電極と電気的に分離するために境界箇所で一定以上の間隔（ＧＡＰ）を有するようになり、遮蔽電極１５０を構成する各箇所もこのような間隔（ＧＡＰ）で互いに離隔しても良い。
【００６５】
遮蔽電極１５０の各箇所は第２駆動配線１６２の長手方向に互いに離隔しても良い。尚、遮蔽電極１５０の各箇所は第２駆動配線１６２によって電気的に接続することができる。
【００６６】
画素単位を見ると、遮蔽電極１５０の領域には隣接して配置されるが、互いに離隔する複数の第２画素が配置されても良い。尚、前記互いに離隔した複数の第２画素は第２駆動配線１６２によって互いに電気的に接続することができる。
【００６７】
第２駆動配線１６２は遮蔽電極１５０と異なったレイヤーに位置するが、第２駆動配線１６２は互いに離隔した遮蔽電極１５０の箇所とコンタクトホールを介して互いに連結されても良い。
【００６８】
図３では工程によって遮蔽電極１５０の一部が互いに離隔することを示したが、複数の第２画素の全ての共通電圧電極が同じレイヤーで互いに連結され遮蔽電極１５０が離隔する箇所なしに具備されても良い。このような場合、第２駆動配線１６２は一つのコンタクトホールを介して遮蔽電極１５０と連結できるようになる。
【００６９】
一方、表示装置は第２駆動配線１６２を介して遮蔽電極１５０に信号を供給して外部のノイズがタッチ電極１３０に流れ込まれることを遮断することができる。
【００７０】
図４は外部からタッチ電極にノイズが流れ込まれることを示す図である。
【００７１】
図４を参照すると、表示パネル１１０の外部にはノイズ源４１０が位置することができる。
【００７２】
ノイズ源４１０はタッチ電極１３０と静電容量でカップルリングできるようになる。例えば、ノイズ源４１０は電極を含んでいる物体や人体であっても良いが、前記物体や人体がタッチ電極１３０に近接すると、静電容量で接続できるようになる。
【００７３】
ノイズ源４１０は前記カップリングキャパシタ４２０を介してタッチ電極１３０にノイズが伝播させるようにする。
【００７４】
表示装置は、タッチ電極１３０にタッチ駆動信号を供給し、その後、タッチ駆動信号に対する反応信号を受信してタッチを検知するが、表示装置は前述したノイズをタッチと誤認識する恐れもある。
【００７５】
ノイズ源４１０がカップリングキャパシタ４２０を介してノイズを伝播しなくてもカップリングキャパシタ４２０が形成すると、タッチ電極１３０の静電容量は増加するので、表示装置はタッチ電極１３０にタッチが発生したと誤認識する恐れがある。
【００７６】
表示装置はタッチ電極１３０の静電容量の変化を認識してタッチ電極１３０に対するタッチを検知することができる。しかし、ノイズ源４１０によってタッチ電極１３０の静電容量が増加すると表示装置は前記静電容量の変化をタッチ電極１３０に対するタッチと誤認識する恐れがある。
【００７７】
図５は、遮蔽電極を介して外部のノイズを遮断することを示す図である。
【００７８】
図５を参照すると、ノイズ源４１０から伝播されるノイズ及びノイズ源４１０と表示装置の間に形成されるカップリングキャパシタ５１０は遮蔽電極１５０によって遮断できるようになる。
【００７９】
遮蔽電極１５０は表示領域を取り囲む。尚、遮蔽電極１５０は前記表示領域に位置するタッチ電極１３０を取り囲む。
【００８０】
表示パネルの外部に位置するノイズ源４１０はタッチ電極１３０より近くに位置する遮蔽電極１５０と静電容量でカップリングされる。そのため、ノイズ源４１０から伝播されるノイズはノイズ源４１０及び遮蔽電極１５０の間に形成される第１カップリングキャパシタ５１０を介して遮蔽電極１５０に通り抜ける。
【００８１】
一方、遮蔽電極１５０とタッチ電極１３０も静電容量でカップリングできるようになり、遮蔽電極１５０及びタッチ電極１３０の間に形成される第２カップリングキャパシタ５２０を介してノイズが伝播できるようになる。尚、前記第２カップリングキャパシタ５２０を介してタッチ電極１３０の静電容量が増加する効果が生じることが可能である。
【００８２】
第２カップリングキャパシタ５２０を介するノイズの伝播及び静電容量の増加は信号的に除去できるようになる。
【００８３】
タッチ電極１３０は第１駆動配線１６１を介して駆動回路１２０と電気的に接続し、遮蔽電極１５０は第２駆動配線１６２を介して駆動回路１２０と電気的に接続する。
【００８４】
この際、駆動回路１２０は第１駆動配線１６１を介してタッチ電極１３０にタッチ駆動信号（ＳＴＸ）を供給し、第２駆動配線１６２を介して遮蔽電極１５０にロードフリー駆動信号（Ｌｏａｄ Ｆｒｅｅ Ｄｒｉｖｉｎｇ ｓｉｇｎａｌ、ＬＦＤ）を供給することができる。
【００８５】
タッチ駆動信号（ＳＴＸ）及びロードフリー駆動信号（ＬＦＤ）は位相が同期化できるようになる。
【００８６】
図６は、図５に示すように、駆動回路が供給する信号の波形図である。
【００８７】
キャパシタの両端に同位相を有する信号が入力されると、キャパシタの両端に直流電圧が形成されるため、キャパシタに電流が流れなくなる。このような場合は実質的に両端が絶縁されて両端の間に非常に高いインピーダンスが形成されることと同じになる。言い換えれば、実質的にキャパシタのないことと同じ状態となる。
【００８８】
図５及び図６を参照すると、駆動回路は遮蔽電極１５０とタッチ電極１３０に位相の同期化されたタッチ駆動信号（ＳＴＸ）とロードフリー駆動信号（ＬＦＤ）を入力する。その結果、遮蔽電極１５０とタッチ電極１３０の間に形成される第２カップリングキャパシタ５２０の両端に位相の同期化された信号が供給され、第２カップリングキャパシタ５２０が実質的に除去されることと同じ効果が生じる。タッチ駆動信号（ＳＴＸ）とロードフリー駆動信号（ＬＦＤ）の位相のみならず、振幅の大きさ（Ａ１、Ａ２）まで同じである場合、より効果を高めることができる。
【００８９】
遮蔽電極１５０とタッチ電極１３０の間に形成される第２カップリングキャパシタ５２０が除去されると、ノイズ源４１０によって伝播されるノイズもタッチ電極１３０に伝達されなくなり、タッチ電極１３０の静電容量も増加しなくなる。その結果、表示装置はノイズ源４１０によるタッチの誤認識の可能性を減らすことができるようになる。
【００９０】
一方、表示装置はノイズ源４１０を遮断するために二重で遮蔽膜を備えることができる。
【００９１】
図７は、遮蔽電極及び遮蔽金属層を介して外部のノイズを遮断することを示す図である。
【００９２】
図７を参照すると、複数の第２画素が位置する遮蔽電極１５０の外側で第２駆動配線１６２と同じレイヤーに遮蔽金属層で第３駆動配線１６３が配置されても良い。第３駆動配線１６３は駆動回路１２０と電気的に接続することができる。
【００９３】
ノイズ源４１０はタッチ電極１３０及び遮蔽電極１５０より外側に位置する第３駆動配線１６３と第３カップリングキャパシタ５３０でカップリングできるようになる。さらに、前記第３カップリングキャパシタ５３０を介して外部のノイズが一次に遮断できるようになる。
【００９４】
尚、ノイズ源４１０と遮蔽電極１５０の間に形成される第１カップリングキャパシタ５１０を介して外部のノイズが二次に遮断できるようになる。
【００９５】
遮蔽金属層―第３駆動配線―及び遮蔽電極とタッチ電極の間に形成されるカップリングキャパシタを除去するためにタッチ電極１３０、遮蔽電極１５０、及び第３駆動配線１６３に位相の同期化されたタッチ駆動信号を供給することができる。
【００９６】
図８は図７に示すように駆動回路が供給する信号の波形図である。
【００９７】
図７及び図８を参照すると、駆動回路１２０はタッチ電極１３０にタッチ駆動信号（ＳＴＸ）を供給し、一方、遮蔽電極１５０にタッチ駆動信号（ＳＴＸ）と同位相の第１ロードフリー駆動信号（ＬＦＤ１）を供給することができる。さらに、駆動回路１２０は第３駆動配線１６３でタッチ駆動信号（ＳＴＸ）と同位相の第２ロードフリーク駆動信号（ＬＦＤ２）を供給することができる。
【００９８】
前記タッチ駆動信号（ＳＴＸ）、 第１ロードフリー駆動信号（ＬＦＤ１）、及び第２ロードフリーク駆動信号（ＬＦＤ２）によって、タッチ電極１３０、遮蔽電極１５０、及び第３駆動配線１６３との間のカップリングキャパシタは全て除去できるようになる。
【００９９】
図８において、同位相で、且つ振幅の大きさ（Ａ１、Ａ２、Ａ３）の異なる信号を示したが、実施例に従って位相と振幅の大きさ両方とも同じ信号がタッチ電極１３０、遮蔽電極１５０、及び第３駆動配線１６３に供給できるようになる。駆動回路１２０は実質的に同じタッチ駆動信号（ＳＴＸ）を第１駆動配線１６１、第２駆動配線１６２、及び第３駆動配線１６３に供給することができる。
【０１００】
一方、外部のノイズは遮蔽電極１５０及び第３駆動配線１６３を介して駆動回路１２０に伝達できるようになる。駆動回路１２０は前記ノイズを信号として処理しないか、グラウンドに流すことができる。
【０１０１】
詳しくは、駆動回路１２０は第１駆動配線１６１に対してのみタッチ駆動信号に対する反応信号を受信して処理し、第２駆動配線１６２、及び第３駆動配線１６３から受信される信号は処理しないか、グラインドに流すことができる。
【０１０２】
以上、本発明の実施例１について説明した。前記実施例１によれば、タッチ一体型表示装置がタッチを誤認識する問題を改善することができる。さらに、前記実施例１によれば、タッチ電極に流れ込まれるノイズを減衰させたり、遮断したりすることができる。
【０１０３】
かかる本発明に記載した、「含む」、「備える」または「有する」などの用語は、特に反対の記載がない限り、当該構成要素が内在できることを意味するものであるため、他の構成要素を除くものではなく、他の構成要素を更に含むことができるものと解釈すべきである。技術的や科学的な用語を含む全ての用語は、異なる定義でない限り、当業者によって一般的に理解されるものと同じ意味を有する。事前に定義された用語のように一般的に用いられる用語は関連技術の文脈上の意味と一致するものと解釈すべきであり、本発明において明らかに定義しない限り、理想的や形式的すぎる意味に解釈してはいけない。
【０１０４】
以上の説明及び添付した図は、本発明の技術的思想を例示的に説明したことに過ぎないものであって、本発明が属する技術分野において通常の知識を有する者であれば、本発明の本質的な特性から外れない範囲で多様な修正及び変形が可能である。従って、本発明に開示された実施例は本発明の技術思想を限定するためのものではなく、説明するためのものであって、このような実施例により本発明の技術思想の範囲が限定されるものではない。本発明の保護範囲は特許請求の範囲により解釈されるべきであり、それと同等な範囲内にある全ての技術的思想は本発明の権利範囲に含まれるものと解釈されるべきである。
【図１】
0006313843.tif 000002
【図２】
0006313843.tif 000003
【図３】
0006313843.tif 000004
【図４】
0006313843.tif 000005
【図５】
0006313843.tif 000006
【図６】
0006313843.tif 000007
【図７】
0006313843.tif 000008
【図８】
0006313843.tif 000009